(57)【要約】【課題】外装部材の股部に吸収体を備えた吸収性本体が設けられた使い捨ておむつであって、吸収性本体の幅方向の両側部に外装部材に固定されない非固定領域が形成され、当該非固定領域近傍で着用者が濡れ感を覚えにくい使い捨ておむつを提供する。【解決手段】外装部材２の股部Ｒに吸収体１０を備えた吸収性本体７が設けられた使い捨ておむつ１であって、吸収性本体７は、外装部材２に固定された固定部１４と、外装部材２に固定されない非固定部１５とを有し、吸収性本体７の幅方向ｘの両側部の少なくとも一部に非固定部１５として側部非固定領域が形成されており、吸収性本体７と外装部材２の間に補助吸収体１８が設けられ、補助吸収体１８は、側部非固定領域と重なって、吸収性本体７の幅方向ｘの側縁よりも外方に延在しないように設けられている。【選択図】図３
2019080805.tif 000002
【特許請求の範囲】
【請求項１】
前側胴部と後側胴部とこれらの間に位置する股部とを有する外装部材と、
前記外装部材の股部に設けられ、液透過性のトップシートと液不透過性のバックシートとこれらの間に配された吸収体を有する吸収性本体とを有する使い捨ておむつであって、
前記吸収性本体は、前記外装部材に固定された固定部と、前記外装部材に固定されない非固定部とを有し、前記吸収性本体の幅方向の両側部の少なくとも一部に、前記非固定部として側部非固定領域が形成されており、
前記吸収性本体と前記外装部材の間に補助吸収体が設けられ、
前記補助吸収体は、前記側部非固定領域と重なって、前記吸収性本体の幅方向の側縁よりも外方に延在しないように設けられていることを特徴とする使い捨ておむつ。
【請求項２】
前記バックシートには、前記側部非固定領域に、前後方向に延びる股部弾性部材が設けられている請求項１に記載の使い捨ておむつ。
【請求項３】
前記吸収性本体は、前記側部非固定領域に、吸収体の存在しないマージン部が形成され、
前記補助吸収体は、前記マージン部と重なって設けられている請求項１または２に記載の使い捨ておむつ。
【請求項４】
前記補助吸収体は、前記側部非固定領域において、前記吸収性本体に取り付けられている請求項１〜３のいずれか一項に記載の使い捨ておむつ。
【請求項５】
前記補助吸収体は、スパンレース不織布から構成されている請求項１〜４のいずれか一項に記載の使い捨ておむつ。
【請求項６】
前記側部非固定領域は、幅方向の長さが１０ｍｍ以上であり、
前記補助吸収体は、幅方向の長さが１０ｍｍ以上である請求項１〜５のいずれか一項に記載の使い捨ておむつ。
【請求項７】
前記吸収体は、シート部材間に吸水性樹脂を有しパルプ繊維を有しないように構成された吸収シートを有する請求項１〜６のいずれか一項に記載の使い捨ておむつ。
【請求項８】
前記外装部材には、前記股部の幅方向の両側に脚部弾性部材が設けられ、
前記補助吸収体は、前記脚部弾性部材と重ならないように設けられている請求項１〜７のいずれか一項に記載の使い捨ておむつ。
【請求項９】
前記外装部材は、ウェスト開口部と一対の脚開口部を有するパンツ形状に形成されており、
前記外装部材には、前記脚開口部の前側の縁に沿って延び、前記吸収性本体を幅方向に横切って延びる前側脚部弾性部材と、前記脚開口部の後側の縁に沿って延び、前記吸収性本体を幅方向に横切って延びる後側脚部弾性部材とが設けられ、
前記補助吸収体は、前記前側脚部弾性部材と前記後側脚部弾性部材と重ならないように設けられている請求項１〜７のいずれか一項に記載の使い捨ておむつ。
【発明の詳細な説明】
【技術分野】
【０００１】
本発明は、幼児用または大人用の使い捨ておむつに関するものである。
【背景技術】
【０００２】
従来、前側胴部と後側胴部とこれらの間に位置する股部とを有する外装部材と、外装部材の股部に設けられ、トップシートとバックシートの間に吸収体が配された吸収性本体とを有する使い捨ておむつが知られている（例えば、特許文献１〜５）。特許文献３〜５には、このような使い捨ておむつにおいて、吸収性本体の幅方向の両側部に外装部材に固定されない非固定領域が形成された使い捨ておむつが開示されている。
【先行技術文献】
【特許文献】
【０００３】
【特許文献１】特開平８−２８０７３９号公報
【特許文献２】特開２００４−０４９７６３号公報
【特許文献３】特開２００４−２９８３９５号公報
【特許文献４】特開２００５−０８７６２２号公報
【特許文献５】特開２０１４−１８０３４６号公報
【発明の概要】
【発明が解決しようとする課題】
【０００４】
吸収性本体の幅方向の両側部に外装部材に固定されない非固定領域が形成された使い捨ておむつについて、本発明者が検討したところ、このような使い捨ておむつでは、吸収性本体の幅方向の両側部の非固定領域に、着用者から出た汗や蒸れなどが水分として溜まる場合があることが明らかになった。このような箇所に水分が溜まると、水分が吸収性本体の非固定領域で下方に伝わり落ちたりして、着用者が濡れ感を覚えるおそれがある。
【０００５】
本発明は前記事情に鑑みてなされたものであり、その目的は、外装部材の股部に吸収体を備えた吸収性本体が設けられた使い捨ておむつであって、吸収性本体の幅方向の両側部に外装部材に固定されない非固定領域が形成され、当該非固定領域近傍で着用者が濡れ感を覚えにくい使い捨ておむつを提供することにある。
【課題を解決するための手段】
【０００６】
前記課題を解決することができた本発明の使い捨ておむつとは、前側胴部と後側胴部とこれらの間に位置する股部とを有する外装部材と、外装部材の股部に設けられ、液透過性のトップシートと液不透過性のバックシートとこれらの間に配された吸収体を有する吸収性本体とを有する使い捨ておむつであって、吸収性本体は、外装部材に固定された固定部と外装部材に固定されない非固定部とを有し、吸収性本体の幅方向の両側部の少なくとも一部に前記非固定部として側部非固定領域が形成されており、吸収性本体と外装部材の間に補助吸収体が設けられ、補助吸収体は、側部非固定領域と重なって吸収性本体の幅方向の側縁よりも外方に延在しないように設けられているところに特徴を有する。
【０００７】
本発明の使い捨ておむつは、吸収性本体の幅方向の両側部に外装部材に固定されない側部非固定領域が形成され、吸収性本体と外装部材の間に、側部非固定領域と重なって補助吸収体が設けられているため、側部非固定領域に着用者から出た汗や蒸れなどが水分として溜まっても、補助吸収体によってこの水分を好適に吸収させることができる。そして、補助吸収体が、吸収性本体の幅方向の側縁よりも外方に延在しないように設けられているため、水分を吸収した補助吸収体が着用者の肌に触れずに、着用者が濡れ感を覚えることが抑えられる。
【０００８】
バックシートには、側部非固定領域に、前後方向に延びる股部弾性部材が設けられていることが好ましい。吸収性本体の側部非固定領域に股部弾性部材が設けられることにより、吸収性本体の幅方向の両側部が着用者の肌に向かって持ち上げられ、尿等の横漏れを起こりにくくすることができる。また、このように股部弾性部材が設けられることにより、側部非固定領域に隙間が形成されやすくなり、側部非固定領域に伝わり落ちた水分が補助吸収体に好適に吸収されやすくなる。
【０００９】
吸収性本体は、側部非固定領域に吸収体の存在しないマージン部が形成され、補助吸収体が、マージン部と重なって設けられていることが好ましい。吸収性本体の側部非固定領域にマージン部が形成されることにより、側部非固定領域に隙間が形成されやすくなり、側部非固定領域に伝わり落ちた水分が補助吸収体に好適に吸収されやすくなる。
【００１０】
補助吸収体は、側部非固定領域において、吸収性本体に取り付けられていることが好ましい。補助吸収体が吸収性本体に取り付けられていれば、使い捨ておむつを着用した際に着用者が脚を動かしたりすることにより、外装部材の側部非固定領域と重なる部分に付着した水分のみならず当該領域に隣接した部分に付着した水分も補助吸収体によって吸収させることが可能となる。
【００１１】
補助吸収体は、スパンレース不織布から構成されることが好ましい。補助吸収体がスパンレース不織布から構成されていれば、補助吸収体の吸収容量を確保しつつ、厚みを薄く形成することができる。そのため、補助吸収体が設けられた部分で着用者が違和感を覚えにくくなる。
【００１２】
側部非固定領域は、幅方向の長さが１０ｍｍ以上であり、補助吸収体は、幅方向の長さが１０ｍｍ以上であることが好ましい。
【００１３】
吸収体は、シート部材間に吸水性樹脂を有しパルプ繊維を有しないように構成された吸収シートを有することが好ましい。このような吸収シートによって、高い吸収容量を有し、薄い吸収体を形成することができる。なお、シート部材間に吸水性樹脂を有しパルプ繊維を有しないように構成された吸収シートは、パルプ繊維を含む繊維集合体と比べて着用者から発せられた蒸れなどを吸収しにくく、側部非固定領域に水分が溜まりやすくなるため、吸収体として吸収シートが用いられる場合は、補助吸収体を設けることの効果がより奏効されるようになる。
【００１４】
外装部材には、股部の幅方向の両側に脚部弾性部材が設けられ、補助吸収体は、脚部弾性部材と重ならないように設けられることが好ましい。このように補助吸収体が設けられることで、脚部弾性部材の収縮力が補助吸収体によって阻害されにくくなり、脚開口部の縁に沿ったレッグギャザーが好適に形成されやすくなる。あるいは、補助吸収体が吸収性本体に取り付けられる場合は、脚開口部の縁にレッグギャザーが形成された状態で補助吸収体が脚開口部の縁からはみ出しにくくなり、補助吸収体が吸収した水分によって着用者の衣類などが濡れたりすることが起こりにくくなる。外装部材がウェスト開口部と一対の脚開口部を有するパンツ形状に形成され、外装部材に、脚開口部の前側の縁に沿って延び、吸収性本体を幅方向に横切って延びる前側脚部弾性部材と、脚開口部の後側の縁に沿って延び、吸収性本体を幅方向に横切って延びる後側脚部弾性部材とが設けられる場合は、補助吸収体は、前側脚部弾性部材と後側脚部弾性部材と重ならないように設けられることが好ましい。
【発明の効果】
【００１５】
本発明の使い捨ておむつは、吸収性本体の幅方向の両側部に外装部材に固定されない側部非固定領域が形成され、吸収性本体と外装部材の間に、側部非固定領域と重なって補助吸収体が設けられているため、側部非固定領域に着用者から出た汗や蒸れなどが水分として溜まっても、補助吸収体によってこの水分を好適に吸収させることができる。そして、補助吸収体が、吸収性本体の幅方向の側縁よりも外方に延在しないように設けられているため、水分を吸収した補助吸収体が着用者の肌に触れずに、着用者が濡れ感を覚えることが抑えられる。
【図面の簡単な説明】
【００１６】
【図１】本発明の使い捨ておむつの一例を表し、使い捨てパンツ型おむつの斜視図を表す。
【図２】図１に示した使い捨ておむつの前側胴部と後側胴部との接合を解いて展開した状態を肌面側から見た平面図を表す。
【図３】図１に示した使い捨ておむつの前側胴部と後側胴部との接合を解いて展開した状態を外面側から見た平面図を表す。
【図４】図２および図３に示した使い捨ておむつのＩＶ−ＩＶ断面図を表す。
【図５】図３に示した使い捨ておむつの吸収性本体と補助吸収体の平面図を表す。
【発明を実施するための形態】
【００１７】
本発明の使い捨ておむつについて、図面を参照して説明する。なお本発明は、図面に示された実施態様に限定されるものではない。図１〜図５には、本発明の使い捨ておむつの一例として、パンツ型の使い捨ておむつを示した。図１は使い捨ておむつの斜視図を表し、図２は、図１に示した使い捨ておむつの前側胴部と後側胴部との接合を解いて平面に展開した状態を肌面側から見た図を表し、図３は、図１に示した使い捨ておむつの前側胴部と後側胴部との接合を解いて平面に展開した状態を外面側から見た図を表し、図４は、図２および図３に示した使い捨ておむつのＩＶ−ＩＶ断面図を表し、図５は、図３に示した使い捨ておむつの吸収性本体と補助吸収体の平面図を表す。図５では、吸収性本体と補助吸収体を使い捨ておむつの外面側から見た平面図を示している。なお図面では、矢印ｘが幅方向、矢印ｙが前後方向を表し、矢印ｘ，ｙにより形成される面に対して垂直方向が厚み方向ｚを表す。
【００１８】
使い捨ておむつ１は、前側胴部Ｐと後側胴部Ｑとこれらの間に位置する股部Ｒとから構成された外装部材２を有する。図面に示した使い捨ておむつ１では、外装部材２はウェスト開口部３と一対の脚開口部４を有し、パンツ形状に形成されている。ウェスト開口部３は着用者の胴を通すための開口であり、脚開口部４は着用者の脚を通すための開口である。
【００１９】
外装部材２において、前側胴部Ｐは、おむつを着用の際に着用者の腹側に当てる部分に相当し、後側胴部Ｑは、おむつを着用の際に着用者の背側に当てる部分に相当する。股部Ｒは、前側胴部Ｐと後側胴部Ｑとの間に位置し、着用者の股間に当てる部分に相当する。股部Ｒは、外装部材２を前後方向に３分割した中間に位置する部分であり、パンツ形状に形成された場合に幅方向ｘの両側で互いに接合されない。使い捨ておむつがパンツ型おむつの場合、外装部材２は、例えば、前側胴部Ｐと後側胴部Ｑとを幅方向ｘの両端のサイド接合部１１で接合することによりパンツ形状に形成される。
【００２０】
使い捨ておむつにおいて、前後方向ｙとは、前側胴部Ｐから後側胴部Ｑにかけての方向を意味し、おむつを着用した際の着用者の股間の前後方向に相当する。幅方向ｘとは、おむつを着用した際の着用者の左右方向に相当する。使い捨ておむつの肌面側とは、おむつを着用した際、着用者の肌に向く側の面を意味する。使い捨ておむつの外面側とは、おむつを着用した際、着用者とは反対側を向く面を意味する。
【００２１】
外装部材２の股部Ｒには、吸収性本体７が設けられる。吸収性本体７は、トップシート８とバックシート９とこれらの間に配された吸収体１０を有する（図４を参照）。トップシート８は、吸収性物品を使用の際に着用者側に位置するシートであり、吸収体１０の肌面側に配される。トップシート８は液透過性であることが好ましい。バックシート９は、吸収性物品を使用の際に着用者とは反対側に位置するシートであり、吸収体１０の外面側に配される。バックシート９は液不透過性であることが好ましい。着用者から排泄された尿等はトップシート８を透過して吸収体１０により収容され、バックシート９は排泄物が外部へ漏れるのを防ぐ。
【００２２】
液透過性のトップシートとしては、例えば、セルロース、レーヨン、コットン等の親水性繊維から形成された不織布や、ポリオレフィン（例えば、ポリプロピレン、ポリエチレン）、ポリエステル（例えば、ＰＥＴ）、ポリアミド（例えば、ナイロン）等の疎水性繊維から形成された不織布であって、疎水性繊維の表面が界面活性剤により親水化されたもの等を用いることができる。また、トップシートとして、織布、編布、有孔プラスチックフィルム等を用いてもよい。
【００２３】
液不透過性のバックシートとしては、ポリオレフィン（例えば、ポリプロピレン、ポリエチレン）、ポリエステル（例えば、ＰＥＴ）、ポリアミド（例えば、ナイロン）等の疎水性繊維から形成された不織布や、プラスチックフィルム等を用いることができる。バックシートは２以上のシートの積層体から構成されていてもよく、例えば、不織布とプラスチックフィルムとの積層体を用いてもよい。この場合、積層体を構成する各シートは同じ大きさであっても異なる大きさであってもよい。液不透過性には撥水性の意味も含まれる。
【００２４】
吸収体は、尿等の排泄物を吸収できる吸収性材料を含むものであれば特に限定されない。吸収体としては、例えば、吸収性材料を所定形状に成形した成形体を用いることができる。吸収体は、紙シート（例えば、ティッシュペーパーや薄葉紙）や液透過性不織布等の被覆シートで覆われてもよい。吸収性材料としては、例えば、パルプ繊維等の親水性繊維や、ポリアクリル酸系、ポリアスパラギン酸系、セルロース系、デンプン・アクリロニトリル系等の吸水性樹脂等が挙げられる。また、吸水性材料には、ポリエチレン、ポリプロピレン等のポリオレフィン繊維や、ＰＥＴ等のポリエステル繊維、ポリアミド繊維等の熱融着性繊維が含まれてもよい。これらの熱融着性繊維は、尿等との親和性を高めるために、界面活性剤等により親水化処理がされていてもよい。吸収性材料は、吸収容量を高める点から、少なくとも吸水性樹脂を含むことが好ましい。
【００２５】
吸収体は、不織布シート間に吸水性樹脂を有しパルプ繊維を有しないように構成された吸収シートを有するものであってもよい。このように構成された吸収シートは、不織布シート間に吸水性樹脂を有するため、高い吸収容量を実現できるとともに、不織布シート間にパルプ繊維を有しないため、嵩張らず薄型に形成することができる。
【００２６】
吸収体は、吸収性材料として吸水性繊維を用いたものであってもよい。この場合もまた、薄型に形成された吸収体とすることができる。吸水性繊維としては、プロトン化または塩形成したカルボキシル基を含有する繊維が挙げられる。例えば、アクリル繊維を加水分解して、アクリル繊維に含まれるニトリル基をカルボキシル基に変換することにより、吸水性繊維を得ることができる。このとき、吸水性繊維に含まれるカルボキシル基は、アルカリ金属塩またはアンモニア塩を形成していることが好ましい。また吸水性繊維は、親水性繊維をアクリル酸に浸漬し、繊維表面でアクリル酸を析出させることにより製造することができる。
【００２７】
吸収体１０の形状（平面形状）は特に限定されない。吸収体１０の形状としては、例えば、略長方形、砂時計形、ひょうたん形、羽子板形等が挙げられる。図面では、吸収体１０は略長方形に形成されている。
【００２８】
吸収性本体７には、肌面側の幅方向ｘの両側に立ち上がりフラップ１２が設けられることが好ましい（図２および図４を参照）。立ち上がりフラップ１２を設けることにより、尿等の排泄物の横漏れを防ぐことができる。立ち上がりフラップ１２が立ち上がった状態の上端部（着用者側の端部）には、起立用弾性部材１３が設けられることが好ましい。起立用弾性部材１３の収縮力により、立ち上がりフラップ１２が起立しやすくなる。
【００２９】
外装部材２は、１層のみから構成されていてもよく、複数層から構成されていてもよい。好ましくは、外装部材２は、外面側に配された外側シート５と、肌面側に配された内側シート６とを有する。外装部材２あるいは外側シート５と内側シート６は液不透過性であることが好ましく、これにより吸収性本体７から尿等が漏れても、尿等が外装部材２を透過して外部に漏れるのを防ぐことができる。外装部材２あるいは外側シート５と内側シート６としては、例えばバックシートに使用可能なシート材料を用いることができる。
【００３０】
上記説明したトップシート、バックシート、外側シート、内側シート等のシート材料として不織布を用いる場合、不織布としては、スパンボンド不織布、エアスルー不織布、ポイントボンド不織布、メルトブロー不織布、ＳＭＳ不織布等を用いることが好ましく、これにより薄くて丈夫なシートを容易に得ることができる。
【００３１】
図１〜図３に示すように、外装部材２の前側胴部Ｐと後側胴部Ｑには、幅方向ｘに延びる複数の胴部弾性部材２０が設けられることが好ましい。胴部弾性部材２０は、ウェスト開口部３と脚開口部４の間に設けられる。胴部弾性部材２０により、着用者の胴周りのフィット性が高められる。なお、胴部弾性部材２０のうち、ウェスト開口部３の縁に沿って前後方向ｙに狭い間隔で設けられる弾性部材を腰部弾性部材２１として設けてもよく、これにより着用者の腰周りに沿ったウェストギャザーが形成され、背中側や腹部側からの尿等の排泄物の漏れが防止される。図１〜図３では、腰部弾性部材２１は胴部弾性部材２０よりも前後方向ｙに狭い間隔で設けられている。
【００３２】
外装部材２には、脚開口部４の縁に沿って、脚部弾性部材２２が設けられることが好ましい。特に、本発明の使い捨ておむつがパンツ型のおむつである場合、このように脚部弾性部材２２が設けられることが好ましい。図面では、脚部弾性部材２２は、脚開口部４の前側の縁に沿って設けられる前側脚部弾性部材２２Ｆと、脚開口部４の後側の縁に沿って設けられる後側脚部弾性部材２２Ｂとから構成されている。前側脚部弾性部材２２Ｆと後側脚部弾性部材２２Ｂとにより、脚開口部４の縁のほぼ全周にわたり弾性部材が設けられる。脚部弾性部材２２により、着用者の脚周りに沿ったレッグギャザーが形成され、股部からの尿等の漏れが防止される。図面では、前側脚部弾性部材２２Ｆと後側脚部弾性部材２２Ｂが互いに離間して設けられているが、前側脚部弾性部材２２Ｆと後側脚部弾性部材２２Ｂは互いに接していたり交差していてもよい。
【００３３】
前側脚部弾性部材２２Ｆと後側脚部弾性部材２２Ｂは、股部Ｒを幅方向ｘに横切る部分で断続的に設けられることが好ましい。なお、それ以外の部分では、前側脚部弾性部材２２Ｆと後側脚部弾性部材２２Ｂは連続的に設けられることが好ましい。このように前側脚部弾性部材２２Ｆと後側脚部弾性部材２２Ｂが設けられれば、吸収性本体７が歪みにくくなり、吸収性本体７の着用者の股間でのフィット性が高まる。脚部弾性部材２２を断続的に設ける場合は、脚部弾性部材２２を外装部材２に接着固定した後、脚部弾性部材２２をカッター等で切断すればよい。このようにすることで、脚部弾性部材２２を製造上簡単に断続的に設けることができ、また脚部弾性部材２２が断続的に設けられた部分で、弾性部材の収縮力を実質的に失わせることができる。
【００３４】
外装部材２に設けられる胴部弾性部材２０、腰部弾性部材２１、脚部弾性部材２２は、図面に示すように外装部材２が外側シート５と内側シート６とから構成されている場合は、外側シート５と内側シート６の間に配されることが好ましい。
【００３５】
使い捨ておむつに設けられる各弾性部材としては、ポリウレタン糸、ポリウレタンフィルム、天然ゴム等の通常の使い捨ておむつに用いられる弾性伸縮材料を用いることができる。各弾性部材は、伸張状態でおむつに固定されることが好ましく、また、ホットメルト接着剤等の接着剤で固定されることが好ましい。例えば、繊度４０〜１，２４０ｄｔｅｘのポリウレタン糸を、倍率１．１〜５．０倍に伸張して配設し、固定する。接着剤としては、ゴム系のホットメルト接着剤を用いることが好ましい。なお、前記倍率は、非伸張状態を１．０倍とする。
【００３６】
吸収性本体７は、外装部材２の肌面側の少なくとも股部Ｒに設けられ、さらに前側胴部Ｐおよび／または後側胴部Ｑに延在していることが好ましい。吸収性本体７は、例えば略砂時計形に形成されたり、略長方形に形成されればよい。
【００３７】
吸収性本体７は、外面側の一部（具体的にはバックシート９の一部）が外装部材２に固定されており、吸収性本体７の外装部材２に固定された部分を固定部１４と称する。吸収性本体７は接着剤によって外装部材２に固定されていることが好ましい。図３および図５では、吸収性本体７の固定部１４をクロスハッチングで示している。一方、吸収性本体７は、外装部材２に固定されない非固定部１５も有しており、非固定部１５は、吸収性本体７の幅方向ｘの両側部の少なくとも一部に設けられる。吸収性本体７は、幅方向ｘの両側部の少なくとも一部が外装部材２に固定されないことによって、外装部材２の歪みが吸収性本体７に伝わりにくくなり、吸収性本体７が着用者の股間に安定して保持されやすくなる。例えば、着用者が脚を動かすことによって外装部材２の脚開口部４の縁に沿った部分に歪みが生じても、その歪みが吸収性本体７に伝わりにくくなり、吸収性本体７を着用者の股間に安定して保持しやすくなる。以下、吸収性本体７の幅方向ｘの両側部に非固定部１５が設けられた領域を「側部非固定領域」と称し、図５では側部非固定領域が符号１６を付して示されている。
【００３８】
吸収性本体７の幅方向ｘの両側部は、吸収性本体７の幅方向ｘの一方または他方の側縁を含む部分として規定される。従って、側部非固定領域１６は、吸収性本体７の幅方向ｘの側縁から幅方向ｘに所定の長さで形成される領域として規定される。吸収性本体７の側部非固定領域１６は、外装部材２を含めていずれの部材にも固定されない。
【００３９】
側部非固定領域１６は、外装部材２の股部Ｒの前後方向ｙの少なくとも一部に形成され、例えば股部Ｒの前後方向ｙの５０％以上に形成されることが好ましく、７０％以上がより好ましく、８０％以上がさらに好ましい。側部非固定領域１６は、外装部材２の股部Ｒの前後方向ｙの全体にわたって形成されてもよい。なお、ここで説明した長さは、使い捨ておむつを展開した状態（すなわち、弾性部材を除去し、あるいは弾性部材を細かく切断して弾性部材の収縮力が発現しないようにして、おむつを完全に広げた状態）で測定する。本明細書におけるその他の様々な長さや位置関係に関しても、同様の条件で測定した値を用いる。
【００４０】
図３に示すように、外装部材２に前側脚部弾性部材２２Ｆと後側脚部弾性部材２２Ｂが設けられる場合は、側部非固定領域１６は少なくとも、これらの弾性部材と交差する部分において、前側脚部弾性部材２２Ｆの前側端から後側脚部弾性部材２２Ｂの後側端にかけて形成されることが好ましい。側部非固定領域１６は、外装部材２の股部Ｒから前側胴部Ｐおよび／または後側胴部Ｑに延びるように形成されてもよい。
【００４１】
側部非固定領域１６は、幅方向ｘに対して、例えば１０ｍｍ以上の長さを有することが好ましく、１５ｍｍ以上がより好ましく、２０ｍｍ以上がさらに好ましい。側部非固定領域１６の前後方向ｙの長さは、例えば、吸収性本体７の前後方向ｙの長さの３５％以上であることが好ましく、４０％以上がより好ましく、５０％以上がさらに好ましく、また８５％以下が好ましく、８０％以下がより好ましく、７０％以下がさらに好ましい。
【００４２】
一方、吸収性本体７が外装部材２に固定される固定部１４としては、図５に示すように、吸収性本体７を前後方向ｙに前方部７Ｆと後方部７Ｂとそれらの間の中間部７Ｍとに区分したときに、前方部７Ｆの固定領域と後方部７Ｂの固定領域が中間部７Ｍの固定領域よりも幅方向ｘの外方の位置に存在するように形成されることが好ましい。なお、吸収性本体７の固定部１４が設けられた領域を「固定領域」と称する。この場合、中間部７Ｍに側部非固定領域１６が形成されるとしてもよく、例えば、中間部７Ｍの固定領域の幅方向ｘの外方かつ前方部７Ｆの固定領域と後方部７Ｂの固定領域の間の部分に側部非固定領域１６が形成されるとすることができる。このように固定部１４を設けることにより、吸収性本体７を安定して外装部材２に固定させることができる。
【００４３】
前方部７Ｆの固定領域と後方部７Ｂの固定領域は、例えば、中間部７Ｍの固定領域よりも２０ｍｍ以上幅方向ｘの外方の位置に存在していることが好ましく、３０ｍｍ以上がより好ましく、４０ｍｍ以上がさらに好ましい。前方部７Ｆの固定領域と後方部７Ｂの固定領域は、例えば、少なくとも吸収性本体７の幅方向ｘの側縁から１５ｍｍ以内の領域に存在することが好ましく、１０ｍｍ以内の領域に存在することがより好ましく、８ｍｍ以内の領域に存在することがさらに好ましい。前方部７Ｆの固定領域は、少なくとも外装部材２の前側胴部Ｐに設けられることが好ましく、後方部７Ｂの固定領域は、少なくとも外装部材２の後側胴部Ｑに設けられることが好ましい。
【００４４】
吸収性本体７の前方部７Ｆと中間部７Ｍと後方部７Ｂの前後方向ｙに対する長さの割合は、例えば、吸収性本体７の前後方向ｙに対する相対位置として前側端を０％とし後側端を１００％としたとき、前方部７Ｆが０％〜３５％（好ましくは０％〜３０％）の範囲内にあり、後方部７Ｂが６５％〜１００％（好ましくは７０％〜１００％）の範囲内にあることが好ましい。
【００４５】
ところで、上記に説明したように、吸収性本体７には、幅方向ｘの両側部に外装部材２に固定されない側部非固定領域１６が形成されており、これにより吸収性本体７を着用者の股間に安定して保持することができるが、側部非固定領域１６には着用者から出た汗や蒸れなどが水分として溜まりやすく、この水分が側部非固定領域１６を下方に伝わって落ちると、着用者の股間で濡れ感を覚えやすくなる。そこで使い捨ておむつ１には、吸収性本体７と外装部材２の間に、側部非固定領域１６と重なって、吸収性本体７の幅方向ｘの側縁よりも外方に延在しないように、補助吸収体１８が設けられている。このように側部非固定領域１６と重なる位置に補助吸収体１８を設けることにより、側部非固定領域１６に溜まった水分を補助吸収体１８によって吸収させることができる。しかも、補助吸収体１８は吸収性本体７の幅方向ｘの側縁よりも外方に延在しないように設けられているため、水分を吸収した補助吸収体１８が着用者の肌に触れずに、着用者が濡れ感を覚えることも抑えられる。
【００４６】
補助吸収体は、上記に説明した吸収体に使用可能な吸収性材料から構成したり、吸収シート等から構成することができる。補助吸収体はまた、不織布、織布、編布等の布材料や、スポンジ等の多孔質弾性体から構成することもできる。なお、補助吸収体は厚みが薄く形成されることが好ましく、これにより着用者が補助吸収体が設けられることによる違和感を覚えにくくなる。そのような観点から、補助吸収体は、不織布、織布、編布等の布材料や、上記に説明した吸収シートから構成されることが好ましい。さらに、補助吸収体は脚開口部４の縁近傍である側部非固定領域１６に配されることから、仮に補助吸収体が吸水性樹脂を含有するものである場合は、着用者の脚の動きによって補助吸収体に無理な負荷がかかったりして、吸水性樹脂が脱落し、着用感が低下するおそれがある。そのような懸念をなくす点からは、補助吸収体は吸水性樹脂を含有しないことが好ましい。従って、補助吸収体は、不織布、織布、編布等の布材料から構成されることがより好ましい。これらの中でも、補助吸収体の吸収容量を確保する点から、補助吸収体は不織布から構成されることが特に好ましい。
【００４７】
補助吸収体が不織布からなる場合、補助吸収体は、パルプ等の天然繊維および／またはレーヨン等の再生セルロース繊維を５０質量％以上含有する不織布からなることが好ましい。補助吸収体を構成する不織布は、より好ましくは天然繊維および／または再生セルロース繊維を７０質量％以上含有し、さらに好ましくは８０質量％以上含有し、実質的に天然繊維および／または再生セルロース繊維のみから構成されていてもよい。このように補助吸収体が構成されていれば、補助吸収体によって水分が速やかに吸収されやすくなる。なお、ここで説明した含有量は、天然繊維と再生セルロース繊維の両方が不織布に含まれる場合は、それらの合計含有量を意味する。
【００４８】
補助吸収体は、レーヨン等の再生セルロース繊維を５０質量％以上含有する不織布からなることがより好ましい。レーヨン等の再生セルロース繊維は長繊維として形成することができるため、このような繊維から不織布を構成することにより、補助吸収体の吸収容量や吸収速度をより高めることができ、また不織布からの繊維の脱落も起こりにくくなる。補助吸収体を構成する不織布は、より好ましくは再生セルロース繊維を７０質量％以上含有し、さらに好ましくは８０質量％以上含有し、実質的に再生セルロース繊維のみから構成されていてもよい。再生セルロース繊維としては、代表的にはレーヨンを用いることが好ましい。
【００４９】
補助吸収体の不織布は熱融着性繊維を含有していてもよい。熱融着性繊維としては、ポリエチレン、ポリプロピレン等のポリオレフィン繊維や、ＰＥＴ等のポリエステル繊維、ナイロン等のポリアミド繊維等が挙げられる。補助吸収体を構成する不織布に熱融着性繊維が含まれていれば、当該不織布の繊維間接着方法として熱接着を採用することができる。
【００５０】
補助吸収体は、吸収容量を高め、速やかな吸収を実現する点から、比較的嵩高い不織布から構成されることが好ましく、具体的にはスパンレース不織布またはエアスルー不織布から構成されることが好ましい。なかでも補助吸収体は、熱融着性繊維の含有量を低く抑えることができ、より高い吸収容量を実現することが可能な点から、スパンレース不織布から構成されることが好ましい。
【００５１】
補助吸収体が不織布から構成される場合、当該不織布の目付は２４ｇ／ｍ2以上が好ましく、２８ｇ／ｍ2以上がより好ましく、また８０ｇ／ｍ2以下が好ましく、６５ｇ／ｍ2以下がより好ましい。補助吸収体の不織布の目付がこのような範囲であれば、補助吸収体の吸収容量を確保しつつ、補助吸収体を薄く形成しやすくなる。
【００５２】
補助吸収体１８は、側部非固定領域１６と少なくとも重なって設けられればよく、固定部１４と重なって設けられてもよい。補助吸収体１８はまた、側部非固定領域１６のうちの少なくとも一部と重なって設けられればよい。なお補助吸収体１８は、吸収容量を確保する点から、幅方向ｘの長さが１０ｍｍ以上であることが好ましく、１５ｍｍ以上がより好ましく、２０ｍｍ以上がさらに好ましい。また、側部非固定領域１６と重なる部分の補助吸収体１８の幅方向ｘの長さが、このような範囲であることが好ましい。
【００５３】
補助吸収体１８は、前後方向ｙに対しては、外装部材２の股部Ｒの最も幅狭な部分の前側および／または後側に設けられることが好ましい。例えば補助吸収体１８は、外装部材２の股部Ｒの最も幅狭な部分から前側に１００ｍｍの位置および／または後側に１００ｍｍの位置に少なくとも存在するように設けられることが好ましい。このように補助吸収体１８を設けることにより、側部非固定領域１６に伝わり落ちた水分が補助吸収体１８によって好適に捕集されやすくなる。補助吸収体１８は、前後方向ｙの長さが２０ｍｍ以上であることが好ましく、３０ｍｍ以上がより好ましく、４０ｍｍ以上がさらに好ましい。
【００５４】
補助吸収体１８は、外装部材２の股部Ｒの最も幅狭な部分においては、設けられても設けられなくてもよい。なお、外装部材２の股部Ｒの最も幅狭な部分は着用者の大腿部に挟まれて圧迫を受けやすく、そのような場合に補助吸収体１８が吸収した水分が滲み出てくるのを防止する観点からは、補助吸収体１８は外装部材２の股部Ｒの最も幅狭な部分には設けられないことが好ましい。従ってこの場合は、補助吸収体１８は、外装部材２の股部Ｒの最も幅狭な部分と重なって設けられず、それよりも前側および／または後側の部分と重なって設けられることとなる。図面に示した使い捨ておむつ１では、補助吸収体１８は、外装部材２の股部Ｒの最も幅狭な部分よりも前側と後側の幅方向ｘの一方側と他方側にそれぞれ、合計４つ設けられている。
【００５５】
外装部材２の股部Ｒの幅方向ｘの両側に脚部弾性部材２２が設けられる場合は、補助吸収体１８は、脚部弾性部材２２と重ならないように設けられることが好ましい。このように補助吸収体１８が設けられることで、脚部弾性部材２２の収縮力が補助吸収体１８によって阻害されにくくなり、脚部弾性部材２２によって脚開口部４の縁に沿ったレッグギャザーが好適に形成されやすくなる。あるいは、補助吸収体１８が吸収性本体７に取り付けられる場合は、脚開口部４の縁にレッグギャザーが形成された状態で補助吸収体１８が脚開口部４の縁からはみ出しにくくなり、補助吸収体１８が吸収した水分によって着用者の衣類などが濡れたりすることが起こりにくくなる。図面に示すように、脚部弾性部材２２として、脚開口部４の前側の縁に沿って延び、吸収性本体７を幅方向ｘに横切って延びる前側脚部弾性部材２２Ｆと、脚開口部４の後側の縁に沿って延び、吸収性本体７を幅方向ｘに横切って延びる後側脚部弾性部材２２Ｂとが設けられる場合は、補助吸収体１８は、前側脚部弾性部材２２Ｆと後側脚部弾性部材２２Ｂと重ならないように設けられることが好ましい。
【００５６】
補助吸収体１８は、吸収性本体７と外装部材２の間に設けられる限り、吸収性本体７に取り付けられてもよく、外装部材２に取り付けられてもよい。好ましくは補助吸収体１８は、側部非固定領域１６において吸収性本体７に取り付けられる。これにより、使い捨ておむつを着用した際に着用者が脚を動かしたりすることにより、外装部材２の側部非固定領域１６と重なる部分に付着した水分のみならず当該領域に隣接した部分に付着した水分も補助吸収体１８によって吸収させることが可能となる。補助吸収体１８は、接着剤や熱融着（例えば、ヒートシールや超音波接着）等により吸収性本体７に取り付けられればよい。
【００５７】
吸収性本体７のバックシート９には、側部非固定領域１６に、前後方向ｙに延びる股部弾性部材１９が設けられていることが好ましい。吸収性本体７の側部非固定領域１６に股部弾性部材１９が設けられることにより、吸収性本体７の幅方向ｘの両側部が着用者の肌に向かって持ち上げられ、これにより吸収性本体７の着用者の股間へのフィット性が高められ、尿等の横漏れを起こりにくくすることができる。また、使い捨ておむつ１に別体の吸収性物品を併用して、吸収性本体７の上に別体の吸収性物品を載せて使用する際など、股部弾性部材１９の収縮力によって、別体の吸収性物品を吸収性本体７上に安定して配置する効果も期待できる。そして、このように股部弾性部材１９が設けられることにより、側部非固定領域１６に隙間が形成されやすくなり、側部非固定領域１６に伝わり落ちた水分が補助吸収体１８に好適に吸収されやすくなる。
【００５８】
股部弾性部材１９は、吸収性本体７の幅方向ｘの一方側と他方側にそれぞれ複数本設けられることが好ましい。これにより、吸収性本体７の幅方向ｘの両側部を広い範囲で持ち上げることができ、股部弾性部材１９を設けることによる尿等の横漏れ防止効果をより奏効させることができる。なお、股部弾性部材１９が設けられる場合、補助吸収体１８は股部弾性部材１９の少なくとも一部と重なって設けられることが好ましい。
【００５９】
股部弾性部材１９は、バックシート９の肌面側に設けられてもよく、外面側に設けられてもよいが、バックシート９の肌面側に設けられることが好ましい。より好ましくは、股部弾性部材１９は、少なくとも一部がバックシートと吸収体１０との間に設けられる。このように股部弾性部材１９を設けることにより、吸収性本体７の幅方向ｘの両側部が吸収体１０とともに持ち上げられ、着用者の股間へのフィット性を高めることができる。
【００６０】
股部弾性部材１９は、外装部材２の股部Ｒの最も幅狭な部分を横切って当該部分の前側から後側に延在するように設けられることが好ましい。股部弾性部材１９はまた、外装部材２の股部Ｒの最も幅狭な部分よりも前側の部分の長さが後側の部分の長さよりも長く設けられることが好ましい。このように股部弾性部材１９が設けられることにより、吸収性本体７の着用者のそけい部付近でのフィット性が高まり、尿等の横漏れ防止効果を高めることができる。
【００６１】
吸収性本体７は、側部非固定領域１６に、吸収体１０の存在しないマージン部１７が形成され、補助吸収体１８はマージン部１７と重なって設けられていることが好ましい（図５を参照）。マージン部１７は、吸収性本体７の幅方向ｘの両側縁を含んで形成される。吸収性本体７の側部非固定領域１６にマージン部１７が形成されることにより、側部非固定領域１６に隙間が形成されやすくなる。そのため、側部非固定領域１６に伝わり落ちた水分が補助吸収体１８に好適に吸収されやすくなる。
【００６２】
マージン部１７は、側部非固定領域１６の前後方向ｙの全体にわたって形成されることが好ましい。あるいは、マージン部１７は、吸収性本体７の中間部７Ｍの前後方向ｙの全体にわたって形成されることが好ましい。マージン部１７の幅方向ｘの長さは、５ｍｍ以上が好ましく、８ｍｍ以上がより好ましく、１０ｍｍ以上がさらに好ましく、また７０ｍｍ以下が好ましく、６０ｍｍ以下がより好ましく、５０ｍｍ以下がさらに好ましい。なおマージン部１７は、側部非固定領域１６（あるいは吸収性本体７の中間部７Ｍ）の前後方向ｙの全体にわたって、幅方向ｘの長さがこのような範囲で形成されることが好ましい。
【００６３】
側部非固定領域１６にマージン部１７が形成される場合、補助吸収体１８は、マージン部１７と重なって設けられるとともに、吸収体１０とも重なって設けられることが好ましい。すなわち補助吸収体１８は、マージン部１７と重なる部分と、吸収体１０と重なる部分とを有することが好ましい。
【００６４】
吸収体１０は、シート部材間に吸水性樹脂を有しパルプ繊維を有しないように構成された吸収シートを有することが好ましい。特に、吸収体１０の少なくとも肌面側に当該吸収シートが存在することが好ましい。シート部材間に吸水性樹脂を有しパルプ繊維を有しないように構成された吸収シートは、例えばパルプ繊維を含む繊維集合体と比べて着用者から発せられた蒸れなどを吸収しにくく、側部非固定領域１６に水分が溜まりやすくなるため、吸収体１０として吸収シートが用いられる場合は、補助吸収体１８を設けることの効果がより奏効されるようになる。好ましくは、吸収体１０は、シート部材間に吸水性樹脂を有しパルプ繊維を有しないように構成された吸収シートのみから構成され、これにより、補助吸収体１８を設けることの効果がより奏効されるようになる。
【００６５】
以上、本発明の使い捨ておむつをパンツ型おむつに適用する場合について説明したが、本発明の使い捨ておむつは、後側胴部の幅方向の両側にそれぞれ止着部材が設けられ、当該止着部材により着用時にパンツ形状に形成するオープンタイプ（テープタイプ）の使い捨ておむつであってもよい。
【符号の説明】
【００６６】
１：使い捨ておむつ
２：外装部材
３：ウェスト開口部
４：脚開口部
７：吸収性本体
８：トップシート
９：バックシート
１０：吸収体
１４：固定部
１５：非固定部
１６：側部非固定領域
１７：マージン部
１８：補助吸収体
１９：股部弾性部材
２０：胴部弾性部材
２２：脚部弾性部材、２２Ｆ：前側脚部弾性部材、２２Ｂ：後側脚部弾性部材
Ｐ：前側胴部
Ｑ：後側胴部
Ｒ：股部
【図１】
2019080805.tif 000003
【図２】
2019080805.tif 000004
【図３】
2019080805.tif 000005
【図４】
2019080805.tif 000006
【図５】
2019080805.tif 000007